(57)【要約】【課題】表示画面における画像の測定位置の決定に要する時間を、より短縮化する。【解決手段】全面が白色画像で構成された基準画像と、赤（Ｒ）、緑（Ｇ）および青（Ｂ）の３色の画像が横方向に並べて構成された第１比較画像と、ＲＧＢの３色の画像が縦方向に並べて構成された第２比較画像とを、表示装置３０によって表示画面３１に表示させ、表示画面３１における一部の領域において、表示画面３１に表示された基準画像、第１比較画像および第２比較画像を測色器１００で測定し、測色器１００で基準画像、第１比較画像および第２比較画像を読み取った結果から第１比較画像の色および第２比較画像の色を特定し、これら第１比較画像の色および第２比較画像の色の組み合わせに基づき、表示画面３１における測色器１００の測定位置を決定する。【選択図】図１
2014149350.tif 000002
【特許請求の範囲】
【請求項１】
１つの無彩色画像にて構成された基準画像と、有彩色画像を含む２つ以上の画像が並べて構成された比較画像とを、表示画面に表示させるための表示用画像データを作成する作成手段と、
前記表示画面における一部の領域において、前記表示用画像データに基づいて当該表示画面に表示された前記基準画像と前記比較画像とを測定する測定手段と、
前記測定手段により前記基準画像と前記比較画像とを測定した結果に基づき、前記表示画面における当該測定手段の測定位置を決定する決定手段と
を含む測定位置決定装置。
【請求項２】
前記作成手段は、前記基準画像として白色画像を用いて前記表示用画像データを作成することを特徴とする請求項１記載の測定位置決定装置。
【請求項３】
前記決定手段は、前記比較画像の測定結果を前記基準画像の測定結果で正規化した結果に基づいて当該比較画像の色を判定し、当該色の判定結果に基づき、前記表示画面における前記測定手段の測定位置を決定することを特徴とする請求項１または２記載の測定位置決定装置。
【請求項４】
前記作成手段は、前記比較画像における２つ以上の前記画像として、少なくとも色相が異なる有彩色画像を用いて前記表示用画像データを作成することを特徴とする請求項１乃至３のいずれか１項記載の測定位置決定装置。
【請求項５】
前記作成手段は、前記比較画像として、２つ以上の前記画像が第１の配列に並べて構成された第１比較画像と、２つ以上の当該画像が当該第１の配列とは異なる第２の配列に並べて構成された第２比較画像とを用いて、前記表示用画像データを作成することを特徴とする請求項１乃至４のいずれか１項記載の測定位置決定装置。
【請求項６】
１つの無彩色画像にて構成された基準画像と、有彩色画像を含む２つ以上の画像が並べて構成された比較画像とを、表示画面に表示させるための表示用画像データを作成する作成手段と、
前記作成手段によって作成された前記表示用画像データに基づいて、前記基準画像と前記比較画像とを前記表示画面に表示させる表示手段と、
前記表示画面における一部の領域において、前記表示用画像データに基づいて当該表示画面に表示された前記基準画像と前記比較画像とを測定する測定手段と、
前記測定手段により前記基準画像と前記比較画像とを測定した結果に基づき、前記表示画面における当該測定手段の測定位置を決定する決定手段と
を含む画像表示システム。
【請求項７】
コンピュータに、
１つの無彩色画像にて構成された基準画像と、有彩色画像を含む２つ以上の画像が並べて構成された比較画像とを、表示画面に表示させるための表示用画像データを作成する機能と、
前記表示画面における一部の領域において、前記表示用画像データに基づいて当該表示画面に表示された前記基準画像と前記比較画像とを測定した結果に基づき、当該表示画面における測定位置を決定する機能と
を実現させるプログラム。
【発明の詳細な説明】
【技術分野】
【０００１】
本発明は、測定位置決定装置、画像表示システム、プログラムに関する。
【背景技術】
【０００２】
公報記載の従来技術として、表示する情報を表示面の背面側から光を用いて表示する表示部の前面側に、光検出口を向けて設置され表示部に表示される情報による輝度を測定し、測定した輝度情報を出力する光検出部と、光検出部の光検出口の形状に相当する試験信号に基づく映像を表示部に表示し、表示面上での試験信号に基づく映像の表示位置を表示面内で移動させ、光検出部近傍の複数箇所に試験信号に基づく映像を表示させて表示面の輝度を測定した光検出部からの輝度情報にしたがって、試験信号に基づく映像を元にして光検出部の位置を特定する制御部とを備えた表示装置が存在する（特許文献１参照）。
【先行技術文献】
【特許文献】
【０００３】
【特許文献１】特開２００９−１７５３５５号公報
【発明の概要】
【発明が解決しようとする課題】
【０００４】
本発明は、表示画面における画像の測定位置の決定に要する時間を、より短縮化することを目的とする。
【課題を解決するための手段】
【０００５】
請求項１記載の発明は、１つの無彩色画像にて構成された基準画像と、有彩色画像を含む２つ以上の画像が並べて構成された比較画像とを、表示画面に表示させるための表示用画像データを作成する作成手段と、前記表示画面における一部の領域において、前記表示用画像データに基づいて当該表示画面に表示された前記基準画像と前記比較画像とを測定する測定手段と、前記測定手段により前記基準画像と前記比較画像とを測定した結果に基づき、前記表示画面における当該測定手段の測定位置を決定する決定手段とを含む測定位置決定装置。
【０００６】
請求項２記載の発明は、前記作成手段は、前記基準画像として白色画像を用いて前記表示用画像データを作成することを特徴とする請求項１記載の測定位置決定装置である。
請求項３記載の発明は、前記決定手段は、前記比較画像の測定結果を前記基準画像の測定結果で正規化した結果に基づいて当該比較画像の色を判定し、当該色の判定結果に基づき、前記表示画面における前記測定手段の測定位置を決定することを特徴とする請求項１または２記載の測定位置決定装置である。
請求項４記載の発明は、前記作成手段は、前記比較画像における２つ以上の前記画像として、少なくとも色相が異なる有彩色画像を用いて前記表示用画像データを作成することを特徴とする請求項１乃至３のいずれか１項記載の測定位置決定装置である。
請求項５記載の発明は、前記作成手段は、前記比較画像として、２つ以上の前記画像が第１の配列に並べて構成された第１比較画像と、２つ以上の当該画像が当該第１の配列とは異なる第２の配列に並べて構成された第２比較画像とを用いて、前記表示用画像データを作成することを特徴とする請求項１乃至４のいずれか１項記載の測定位置決定装置である。
【０００７】
請求項６記載の発明は、１つの無彩色画像にて構成された基準画像と、有彩色画像を含む２つ以上の画像が並べて構成された比較画像とを、表示画面に表示させるための表示用画像データを作成する作成手段と、前記作成手段によって作成された前記表示用画像データに基づいて、前記基準画像と前記比較画像とを前記表示画面に表示させる表示手段と、前記表示画面における一部の領域において、前記表示用画像データに基づいて当該表示画面に表示された前記基準画像と前記比較画像とを測定する測定手段と、前記測定手段により前記基準画像と前記比較画像とを測定した結果に基づき、前記表示画面における当該測定手段の測定位置を決定する決定手段とを含む画像表示システムである。
【０００８】
請求項７記載の発明は、コンピュータに、１つの無彩色画像にて構成された基準画像と、有彩色画像を含む２つ以上の画像が並べて構成された比較画像とを、表示画面に表示させるための表示用画像データを作成する機能と、前記表示画面における一部の領域において、前記表示用画像データに基づいて当該表示画面に表示された前記基準画像と前記比較画像とを測定した結果に基づき、当該表示画面における測定位置を決定する機能とを実現させるプログラムである。
【発明の効果】
【０００９】
請求項１記載の発明によれば、本構成を有していない場合と比較して、表示画面における画像の測定位置の決定に要する時間を、より短縮化することが可能になる。
請求項２記載の発明によれば、本構成を有していない場合と比較して、基準画像と比較画像との違いをより明確にすることができる。
請求項３記載の発明によれば、本構成を有していない場合と比較して、第１比較画像および第２比較画像の色をより容易に特定することが可能となる。
請求項４記載の発明によれば、本構成を有していない場合と比較して、比較画像における２つ以上の有彩色の色の違いをより明確にすることができる。
請求項５記載の発明によれば、本構成を有していない場合と比較して、表示画面における画像の測定位置を、より正確に決定することができる。
請求項６記載の発明によれば、本構成を有していない場合と比較して、表示画面における画像の測定位置の決定に要する時間を、より短縮化することが可能になる。
請求項７記載の発明によれば、本構成を有していない場合と比較して、表示画面における画像の測定位置の決定に要する時間を、より短縮化することが可能になる。
【図面の簡単な説明】
【００１０】
【図１】本発明の実施の形態が適用される画像表示システムの構成の一例を示した図である。
【図２】コンピュータ装置のハードウェア構成を示した図である。
【図３】コンピュータ装置の機能構成例を示した図である。
【図４】測色器の位置検出動作における処理手順を示すフローチャートである。
【図５】位置検出用画像データの作成手順の詳細を説明するためのフローチャートである。
【図６】測定位置の決定手順の詳細を説明するためのフローチャートである。
【図７】測定位置の決定で使用する特性が未知の場合に使用される設定用テーブルの一例を示す図である。
【図８】図７に示す判定区分および階調信号値に基づいて作成される位置検出用画像データの一例を説明するための図である。
【図９】図８（ｂ）に示す位置検出用画像データに基づき、表示装置の表示画面に表示される位置検出用画像を説明するための図である。
【図１０】測定位置の決定に用いられる判定用テーブルの一例を示した図である。
【図１１】測定位置の決定で使用する特性が既知の場合に使用される設定用テーブルの一例を示す図である。
【図１２】測色器が測定位置を測定しているか否かの判定に用いられる設定用テーブルの一例を示す図である。
【図１３】図１２に示す判定区分および階調信号値に基づいて作成される位置検出用画像データの一例を説明するための図である。
【図１４】図１３（ｂ）に示す位置検出用画像データに基づき、表示装置の表示画面に表示される位置検出用画像を説明するための図である。
【発明を実施するための形態】
【００１１】
以下、添付図面を参照して、本発明の実施の形態について詳細に説明する。
図１は、本実施の形態が適用される画像表示システム１０の構成の一例を示した図である。
この画像表示システム１０は、表示のための画像データの作成等を行うコンピュータ装置２０と、コンピュータ装置２０で作成された画像データに基づく画像を表示画面３１に表示する表示装置３０と、コンピュータ装置２０に対する入力等を受け付ける入力装置４０とを備えている。
【００１２】
この画像表示システム１０において、コンピュータ装置２０および表示装置３０はＤＶＩ（Digital Visual Interface）を介して接続されており、コンピュータ装置２０および入力装置４０はＵＳＢ（Universal Serial Bus）を介して接続されている。なお、コンピュータ装置２０および表示装置３０については、ＤＶＩに代えて、ＨＤＭＩ（High-Definition Multimedia Interface）やDisplayPortを介して接続するようにしてもかまわない。
【００１３】
コンピュータ装置２０は、所謂汎用のパーソナルコンピュータである。そして、コンピュータ装置２０は、ＯＳ（Operating System）の管理下において、各種アプリケーションソフトウェアを動作させることで、画像データの作成等が行われるようになっている。
【００１４】
また、表示手段の一例としての表示装置３０は、例えばＰＣ用の液晶ディスプレイ、液晶テレビあるいはプロジェクタなど、加法混色にて画像を表示する機能を備えたもので構成される。したがって、表示装置３０における表示方式は、液晶方式に限定されるものではない。なお、図１は、表示装置３０としてＰＣ用の液晶ディスプレイを用いた場合を例示していることから、表示装置３０内に表示画面３１が設けられているが、表示装置３０として例えばプロジェクタを用いる場合、表示画面３１は、表示装置３０の外部に設けられたスクリーン等となる。
【００１５】
さらに、入力装置４０としては、例えば図１に示すキーボード装置や、図示しないマウス装置等が挙げられる。
【００１６】
この画像表示システム１０では、例えば入力装置４０およびコンピュータ装置２０を用いて作成した表示用画像データに基づく画像を、表示装置３０の表示画面３１に表示させるようになっている。ここで、コンピュータ装置２０で動作するアプリケーションソフトウェアを用いて製品のデザイン等を行う場合には、表示装置３０における表示画面３１に、画像を正しい色で表示させることが要求される。このため、この画像表示システム１０では、コンピュータ装置２０で作成した測色用画像データに基づく測色用画像を表示装置３０に表示させ、表示装置３０に表示された測色用画像を読み取った結果に基づいて表示装置３０に表示させる色を較正するキャリブレーション動作が実行できるようになっている。
【００１７】
ここで、図１には、上記キャリブレーション動作において用いられ、表示装置３０の表示画面３１に表示された測色用画像の読み取りに用いられる測色器１００を、画像表示システム１０と併せて示している。
【００１８】
測定手段の一例としての測色器１００は、赤（Ｒ）、緑（Ｇ）および青（Ｂ）の３色にて画像を読み取るセンサ（図示せず）を備えており、表示画面３１に表示された測色用画像を、所謂フルカラーにて測定することが可能となっている。また、図１に示す例において、測色器１００は、ＰＣ用液晶ディスプレイからなる表示装置３０の筐体の上方側から吊り下げられており、センサを用いた受光面が表示画面３１に接触する所謂接触型となっている。そして、この例において、測色器１００およびコンピュータ装置２０はＵＳＢを介して接続されている。また、測色器１００は、吊り下げ用のホルダ（図示せず）を用いて表示画面３１上に配置されるようになっている。なお、表示装置３０として例えばプロジェクタを用いる場合、測色器１００は、プロジェクタを用いてスクリーンに投影された測色用画像を、スクリーンから離れた位置から撮影する所謂非接触型となる。
【００１９】
そして、本実施の形態では、測色器１００が、表示画面３１における全表示領域のうち、少なくとも半分以下となる一部の領域を読み取るように構成されている。
【００２０】
図２は、コンピュータ装置２０のハードウェア構成を示した図である。
コンピュータ装置２０は、上述したようにパーソナルコンピュータ等により実現される。そして図示するように、コンピュータ装置２０は、演算手段であるＣＰＵ（Central Processing Unit）２１と、記憶手段であるメインメモリ２２およびＨＤＤ（Hard Disk Drive）２３とを備える。ここで、ＣＰＵ２１は、ＯＳ（Operating System）やアプリケーションソフトウェア等の各種プログラムを実行する。また、メインメモリ２２は、各種プログラムやその実行に用いるデータ等を記憶する記憶領域であり、ＨＤＤ２３は、各種プログラムに対する入力データや各種プログラムからの出力データ等を記憶する記憶領域である。さらに、コンピュータ装置２０は、入力装置４０や表示装置３０を含む外部との通信を行うための通信インタフェース（以下、「通信Ｉ／Ｆ」と表記する）２４を備えている。
【００２１】
図３は、本実施の形態のコンピュータ装置２０の機能構成例を示した図である。
このコンピュータ装置２０は、出力画像データ作成部２１０と、位置検出用画像設定部２２０と、測定位置決定部２３０と、測色用画像設定部２４０と、記憶部２５０とを備えている。
【００２２】
出力画像データ作成部２１０は、表示装置３０を用いて表示画面３１に表示する出力画像データを作成し、表示装置３０に出力する。
また、位置検出用画像設定部２２０は、上述したキャリブレーション動作の前処理として実行される、表示画面３１に対する測色器１００の測定位置を検出する位置検出動作で使用される位置検出用画像の設定を行い、得られた設定情報を出力画像データ作成部２１０に出力する。
さらに、測定位置決定部２３０は、表示画面３１に表示された上記位置検出画像を測色器１００で読み取った結果に基づき、表示画面に対する測色器１００の測定位置を決定し、得られた測定位置に関する情報を出力画像データ作成部２１０に出力する。
さらにまた、測色用画像設定部２４０は、上記キャリブレーション動作で使用される測色用画像の設定を行い、得られた設定情報を出力画像データ作成部２１０に出力する。
そして、記憶部２５０は、出力画像データ作成部２１０、位置検出用画像設定部２２０、測定位置決定部２３０および測色用画像設定部２４０のそれぞれにおける処理で用いられる各種データを記憶する。
ここで、本実施の形態では、位置検出用画像設定部２２０および出力画像データ作成部２１０が作成手段としての機能を有しており、測定位置決定部２３０が決定手段としての機能を有している。
【００２３】
なお、図３に示すコンピュータ装置２０を構成する出力画像データ作成部２１０、位置検出用画像設定部２２０、測定位置決定部２３０、測色用画像設定部２４０および記憶部２５０の機能は、ソフトウェアとハードウェア資源とが協働することにより実現される。すなわち、図２に示すコンピュータ装置２０に設けられたＣＰＵ２１が、各部の機能を実現するプログラムを、例えばＨＤＤ２３の記憶装置からメインメモリ２２に読み込んで、これらの各機能を実現する。また、ＨＤＤ２３やメインメモリ２２等の記憶装置が、記憶部２５０の機能を実現する。
【００２４】
では、キャリブレーション動作の前処理として実行される測色器１００の位置検出動作について説明を行う。
図４は、測色器１００の位置検出動作における処理手順を示すフローチャートである。なお、測色器１００の位置検出動作の開始に先立って、表示装置３０の表示画面３１に対し測色器１００がセットされる。このとき、測色器１００による表示画面３１の測定位置は不明であるものとする。
【００２５】
まず、コンピュータ装置２０に設けられた位置検出用画像設定部２２０および出力画像データ作成部２１０が、表示装置３０を用いて表示画面３１に表示させる位置検出用画像データを作成する（ステップ１０）。なお、ステップ１０の詳細については後述する。
【００２６】
続いて、表示装置３０が、ステップ１０で作成され、コンピュータ装置２０から入力されてくる位置検出用画像データに基づき、表示画面３１に位置検出用画像を表示させる（ステップ２０）。また、測色器１００は、表示画面３１に表示された位置検出用画像を測定する（ステップ３０）。なお、このとき、測色器１００は、上述した理由により、表示画面３１に表示された位置検出用画像のうち、一部の領域に表示された画像を測定することになる。そして、測色器１００による測定結果は、コンピュータ装置２０に設けられた測定位置決定部２３０に出力される。
【００２７】
次に、コンピュータ装置２０に設けられた測定位置決定部２３０は、測色器１００から取得した測定結果に基づき、表示画面３１における測色器１００の測定位置を決定する（ステップ４０）。なお、ステップ４０の詳細については後述する。そして、測定位置決定部２３０は、ステップ４０で決定した測定位置を、この位置検出動作に続いて実行されるキャリブレーション動作における測色用画像の表示位置に設定し（ステップ５０）、表示位置の設定結果を出力画像データ作成部２１０へと出力し、一連の処理を完了する。
【００２８】
なお、上記位置検出動作に続いて実行されるキャリブレーション動作では、コンピュータ装置２０に設けられた測色用画像設定部２４０および出力画像データ作成部２１０が、表示装置３０を用いて表示画面３１に表示させる測色用画像データを作成する。ここで、本実施の形態では、表示画面３１のうち上記ステップ５０で設定された表示位置に測色用画像が表示されるように、出力画像データ作成部２１０が測色用画像データの作成を行う。
【００２９】
図５は、上記ステップ１０における位置検出用画像データの作成手順の詳細を説明するためのフローチャートである。
この処理では、まず、位置検出用画像設定部２２０が、上記ステップ４０における測定位置の決定で色の判別に使用する特性を設定する（ステップ１１）。次に、位置検出用画像設定部２２０は、ステップ１１で決定された色の判別に使用する特性が、既に取得済であるか、より具体的には、記憶部２５０に記憶されているか否かを判定する（ステップ１２）。ステップ１２において否定の判断（Ｎｏ）を行った場合は、そのままステップ１４に進む。一方、ステップ１２において肯定の判断（Ｙｅｓ）を行った場合、位置検出用画像設定部２２０は、記憶部２５０から取得済の特性を取得し（ステップ１３）、ステップ１４へと進む。
【００３０】
続いて、位置検出用画像設定部２２０は、ステップ１１で取得した特性等に基づいて、色の判定区分を設定し（ステップ１４）、さらに、ステップ１４で設定した各判定区分において、位置検出用画像データの作成に使用する階調信号値を設定する（ステップ１５）。なお、この例における階調信号値は、８ビットすなわち２５６階調（０〜２５５）で表現される。そして、位置検出用画像設定部２２０は、ステップ１５で設定された各階調信号値を用いて、位置検出動作で用いる位置検出用画像の内容を決定する（ステップ１６）。ここで、位置検出用画像は、基準画像と比較画像とを含んで構成されるが、このことについては後述する。
【００３１】
その後、出力画像データ作成部２１０は、ステップ１６で決定された位置検出用画像の内容に基づく位置検出用画像データを作成し（ステップ１７）、表示装置３０に向けて出力する。また、位置検出用画像設定部２２０は、ステップ１６で決定された位置検出用画像の内容に基づき、上記ステップ４０における測定位置の決定で色の判定に用いられる判定用テーブルを作成し（ステップ１８）、測定位置決定部２３０に向けて出力する。
【００３２】
図６は、上記ステップ４０における測定位置の決定手順の詳細を説明するためのフローチャートである。
測定位置決定部２３０は、まず、上記ステップ１８で位置検出用画像設定部２２０から送られてきた判定用テーブルを取得する（ステップ４１）。また、測定位置決定部２３０は、上記ステップ３０において表示画面３１に表示された位置検出用画像を測色器１００で測定して得られた測定結果を取得する（ステップ４２）。
【００３３】
続いて、測定位置決定部２３０は、ステップ４２で取得した測定結果に基づき、基準画像の測定結果を基準とし、比較画像の測定結果を正規化する処理を実行する（ステップ４３）。次いで、測定位置決定部２３０は、ステップ４３において正規化された比較画像の測定結果から、比較画像の色を特定する（ステップ４４）。そして、測定位置決定部２３０は、ステップ４４における比較画像の色の特定結果に基づき、表示画面３１に対する測色器１００の測定位置を決定する（ステップ４５）。
【００３４】
ではここで、具体例を挙げつつ、上述した測色器１００の位置検出動作について説明を行う。
図７は、図５に示すステップ１２において否定の判定がなされた場合、すなわち、測定位置の決定で使用する特性が未知の場合に、ステップ１４の色の判定区分の設定およびステップ１５の階調信号値の設定において使用される設定用テーブルの一例を示す図である。なお、この例においては、ステップ１１において、特性として色相Ｈ（°）が設定されているものとする。
【００３５】
図７に示す例においては、判定区分が、色相Ｈにおいて０〜８０、１００〜１８０そして２６０〜３４０の３つに設定される。そして、色相Ｈが０〜８０の場合には、使用する階調信号値がＲ（赤）＝２５５、Ｇ（緑）＝０、Ｂ（青）＝０に設定され、このときの判定色はＲ（赤）となる。また、色相Ｈが１００〜１８０の場合には、使用する階調信号値がＲ＝０、Ｇ＝２５５、Ｂ＝０に設定され、このときの判定色はＧとなる。さらに、色相Ｈが２６０〜３４０の場合には、使用する階調信号値がＲ＝０、Ｇ＝０、Ｂ＝２５５に設定され、このときの判定色はＢとなる。
【００３６】
図８は、図７に示す判定区分および階調信号値に基づいて作成される位置検出用画像データの一例を説明するための図である。ここで、図８（ａ）は表示画面３１における領域の分割を説明するための図であり、図８（ｂ）は位置検出用画像データの構成を説明するための図である。
【００３７】
まず、この例では、図８（ａ）に示すように、表示画面３１の全領域が、縦３列×横３列からなる９つの領域に分割される。なお、以下の説明では、これら９つの領域を第１領域Ａ１〜第９領域Ａ９と称する。また、この例において、第１領域Ａ１〜第９領域Ａ９は、それぞれが同じ面積（画素数）を有しており、マトリクス状に配置されるようになっている。
【００３８】
この例において用いられる位置検出用画像は、図８（ｂ）に示すように、基準画像と比較画像とを含んでいる。また、この例において、比較画像は、２つの画像すなわち第１比較画像と第２比較画像とを含んでいる。
【００３９】
これらのうち、基準画像については、表示画面３１の全領域すなわち第１領域Ａ１〜第９領域Ａ９に対し、無彩色画像の一例としてのＷ（白）を表示するための階調信号値（Ｒ＝２５５、Ｇ＝２５５、Ｂ＝２５５）で構成される。したがって、基準画像は、表示画面３１の全領域について同じ色で構成される。
【００４０】
また、比較画像のうち、第１比較画像については、表示画面３１において横方向に連続する第１領域Ａ１〜第３領域Ａ３に対し、Ｒを表示するための階調信号値（Ｒ＝２５５、Ｇ＝０、Ｂ＝０）が設定され、表示画面３１における第１領域Ａ１〜第３領域Ａ３の下方であって横方向に連続する第４領域Ａ４〜第６領域Ａ６に対し、Ｇを表示するための階調信号値（Ｒ＝０、Ｇ＝２５５、Ｂ＝０）が設定され、表示画面３１における第４領域Ａ４〜第６領域Ａ６の下方であって横方向に連続する第７領域Ａ７〜第９領域Ａ９に対し、Ｂを表示するための階調信号値（Ｒ＝０、Ｇ＝０、Ｂ＝２５５）が設定される。したがって、第１比較画像は、表示画面３１の全領域について複数（この例では３つ）の異なる有彩色（この例ではＲ、Ｇ、Ｂ）で構成される。
【００４１】
一方、比較画像のうち、第２比較画像については、表示画面３１において縦方向に連続する第１領域Ａ１、第４領域Ａ４および第７領域Ａ７に対し、Ｒを表示するための階調信号値（Ｒ＝２５５、Ｇ＝０、Ｂ＝０）が設定され、表示画面３１における第１領域Ａ１、第４領域Ａ４および第７領域Ａ７の一側方（図中右側）であって縦方向に連続する第２領域Ａ２、第５領域Ａ５および第８領域Ａ８に対し、Ｇを表示するための階調信号値（Ｒ＝０、Ｇ＝２５５、Ｂ＝０）が設定され、表示画面３１における第２領域Ａ２、第５領域Ａ５および第８領域Ａ８の一側方（図中右側）であって縦方向に連続する第３領域Ａ３、第６領域Ａ６および第９領域Ａ９に対し、Ｂを表示するための階調信号値（Ｒ＝０、Ｇ＝０、Ｂ＝２５５）が設定される。したがって、第２比較画像も、表示画面３１の全領域について複数（この例では３つ）の異なる有彩色（この例ではＲ、Ｇ、Ｂ）で構成される。
【００４２】
図９は、図８（ｂ）に示す位置検出用画像データに基づき、ステップ２０において表示装置３０の表示画面３１に表示される位置検出用画像を説明するための図である。ここで、図９（ａ）は表示画面３１に表示される基準画像を、図９（ｂ）は表示画面３１に表示される第１比較画像を、図９（ｃ）は表示画面３１に表示される第２比較画像を、そして、図９（ｄ）は表示画面３１における第１領域Ａ１〜第９領域Ａ９と各領域に表示される各画像の色との関係を、それぞれ示している。
【００４３】
この例において、表示装置３０は、コンピュータ装置２０から取得した位置検出用画像データに基づき、表示画面３１に、最初に図９（ａ）に示す基準画像を表示させ、次に図９（ｂ）に示す第１比較画像を表示させ、最後に図９（ｃ）に示す第２比較画像を表示させる。ただし、各画像を表示させる順番を入れ替えてもかまわない。
【００４４】
図９（ａ）に示す基準画像、図９（ｂ）に示す第１比較画像、そして図９（ｃ）に示す第２比較画像を、表示装置３０によって表示画面３１に順次表示させることにより、表示画面３１における第１領域Ａ１〜第９領域Ａ９には、それぞれ、図９（ｄ）に示す色の画像が、順番に表示されていくことになる。
【００４５】
まず、第１領域Ａ１には、基準画像におけるＷの画像と、第１比較画像におけるＲの画像と、第２比較画像におけるＲの画像とが、この順番で表示される（図中に「ＷＲＲ」と記す）。また、第２領域Ａ２には、基準画像におけるＷの画像と、第１比較画像におけるＲの画像と、第２基準画像におけるＧの画像とが、この順番で表示される（図中に「ＷＲＧ」と記す）。さらに、第３領域Ａ３には、基準画像におけるＷの画像と、第１比較画像におけるＲの画像と、第２比較画像におけるＢの画像とが、この順番で表示される（図中に「ＷＲＢ」と記す）。また、第４領域Ａ４には「ＷＧＲ」の順で、第５領域Ａ５には「ＷＧＧ」の順で、第６領域Ａ６には「ＷＧＢ」の順で、第７領域Ａ７には「ＷＢＲ」の順で、第８領域Ａ８には「ＷＢＧ」の順で、第９領域Ａ９には「ＷＢＢ」の順で、それぞれ画像が表示されることになる。
【００４６】
図１０は、ステップ１８で作成され、ステップ４５の測定位置の決定に用いられる判定用テーブルの一例を示した図である。
ステップ４４において、例えば、第１比較画像の測定結果を基準画像の測定結果で正規化した結果として第１検出画像の色がＲであると特定され、且つ第２比較画像の測定結果を基準画像の測定結果で正規化した結果として第２検出画像の色がＲであると特定された場合、ステップ４５において、測色器１００による測定位置は第１領域Ａ１であると判定される。このように、第１検出画像の色がＲ、Ｇ、Ｂのいずれか１色であると特定され、且つ、第２検出画像の色もＲ、Ｇ、Ｂのいずれか１色であると特定された場合、測色器１００による測定位置は、第１領域Ａ１〜第９領域Ａ９のうち１つの領域であるとの判定がなされる。
【００４７】
また、ステップ４４において、例えば、第１検出画像の色がＲであると特定され、且つ、第２検出画像の色がＲおよびＧを含むＹ（イエロー）であると特定された場合、ステップ４５において、測色器１００による測定位置は第１領域Ａ１と第２領域Ａ２とに跨った部位（図中には「Ａ１−Ａ２」と記す）であると判定される。このように、第１検出画像の色がＲ、Ｇ、Ｂのいずれか１色であると特定され、且つ、第２検出画像の色がＲおよびＧを含むＹ、あるいは、ＧおよびＢを含むＣ（シアン）であると特定された場合、測色器１００による測定位置は、第１領域Ａ１〜第９領域Ａ９のうち横方向に隣接する２つの領域であるとの判定がなされる。
【００４８】
さらに、ステップ４４において、例えば、第１検出画像の色がＲおよびＧを含むＹであると特定され、且つ、第２検出画像の色がＲであると特定された場合、ステップ４５において、測色器１００による測定位置は第１領域Ａ１と第４領域Ａ４とに跨った部位（図中には「Ａ１−Ａ４」と記す）であると判定される。このように、第１検出画像の色がＲおよびＧを含むＹ、あるいは、ＧおよびＢを含むＣであると特定され、且つ、第２検出画像の色がＲ、Ｇ、Ｂのいずれか１色であると特定された場合、測色器１００による測定位置は、第１領域Ａ１〜第９領域Ａ９のうち縦方向に隣接する２つの領域であるとの判定がなされる。
【００４９】
さらにまた、ステップ４４において、例えば、第１検出画像の色がＲおよびＧを含むＹであると特定され、且つ、第２検出画像の色がＲおよびＧを含むＹであると特定された場合、ステップ４５において、測色器１００による測定位置は第１領域Ａ１、第２領域Ａ２、第４領域Ａ４および第５領域Ａ５に跨った部位（図中には「Ａ１−Ａ２−Ａ４−Ａ５」と記す）であると判定される。このように、第１検出画像の色がＲおよびＧを含むＹ、あるいは、ＧおよびＢを含むＣであると特定され、且つ、第２検出画像の色がＲおよびＧを含むＹ、あるいは、ＧおよびＢを含むＣであると特定された場合、測色器１００による測定位置は、第１領域Ａ１〜第９領域Ａ９のうち、縦方向に隣接し且つ横方向に隣接する４つの領域であるとの判定がなされる。
【００５０】
図１１は、図５に示すステップ１２において肯定の判断がなされた場合、すなわち、測定位置の決定で使用する特性が既知の場合に、ステップ１４の色の判定区分の設定およびステップ１５の階調信号値の設定において使用される設定用テーブルの一例を示す図である。なお、この例においては、ステップ１１において、特性として彩度Ｃおよび色相Ｈ（°）が設定されており、これら彩度Ｃおよび色相Ｈの特性値が既知（取得済）であるものとする。
【００５１】
図１１に示す例においては、判定区分が、彩度Ｃにおいてその最大値の半分を超える場合および（Ｃ＞最大値／２）および半分以下となる場合（Ｃ≦最大値／２）と、色相Ｈにおいて、０〜９０、９０〜１８０、１８０〜３６０の３つとの組み合わせすなわち６つに設定される。そして、彩度Ｃがその最大値の半分を超える条件下において、色相Ｈが０〜９０の場合には、使用する階調信号値がＲ＝２５５、Ｇ＝０、Ｂ＝０に設定され、色相Ｈが９０〜１８０の場合には、使用する階調信号値がＲ＝０、Ｇ＝２５５、Ｂ＝０に設定され、色相Ｈが１８０〜３６０の場合には、使用する階調信号値がＲ＝０、Ｇ＝０、Ｂ＝２５５に設定される。また、彩度がその最大値の半分以下となる条件下において、色相Ｈが０〜９０の場合には、使用する階調信号値がＲ＝６４、Ｇ＝０、Ｂ＝０に設定され、色相Ｈが９０〜１８０の場合には、使用する階調信号値がＲ＝０、Ｇ＝６４、Ｂ＝０に設定され、色相Ｈが１８０〜３６０の場合には、使用する階調信号値がＲ＝０、Ｇ＝０、Ｂ＝６４に設定される。
【００５２】
さて、上述した説明においては、測色器１００による表示画面３１の測定位置が不明である場合を例として説明を行っていた。これに対し、測色器１００による表示画面３１の測定位置を予め設定しておき、測色器１００が設定された測定位置を測定しているか否かを判定することもできる。ここで、測色器１００による表示画面３１の測定位置を予め設定する条件としては、過去に測定を行っていないが事前に測定位置を決めておきたい場合と、過去に測定を行っており過去の測定と同じ測定位置にて測定を行いたい場合とがある。また、測定位置を設定するやり方としては、例えば入力装置４０を用いた測定位置（表示画面３１における座標情報）の入力を受け付けるようにしてもよいし、例えば過去の測定における測定位置を記憶部２５０に記憶させておき、これを読み出すようにしてもかまわない。
【００５３】
図１２は、測色器１００が測定位置を測定しているか否かの判定に用いられる設定用テーブルの一例を示す図である。なお、この例においては、特性として色相Ｈ（°）が設定されているものとする。
【００５４】
図１２に示す例においては、判定区分が、色相Ｈにおいて０〜８０および１００〜１８０の２つに設定される。そして、色相Ｈが０〜８０の場合には、使用する階調信号値がＲ＝２５５、Ｇ＝０、Ｂ＝０に設定され、このときの判定色はＲとなる。また、色相Ｈが１００〜１８０の場合には、使用する階調設定値がＲ＝０、Ｇ＝２５５、Ｂ＝０に設定され、このときの判定色はＧとなる。
【００５５】
図１３は、図１２に示す判定区分および階調信号値に基づいて作成される位置検出用画像データの一例を説明するための図である。ここで、図１３（ａ）は表示画面３１における領域の分割を説明するための図であり、図１３（ｂ）は位置検出用画像データの構成を説明するための図である。
【００５６】
この例においても、図１３（ａ）に示すように、表示画面３１の全領域が、縦３列×横３列からなる９つの領域（第１領域Ａ１〜第９領域Ａ９）に分割される。なお、この例においては、マトリクス状に配列された第１領域Ａ１〜第９領域Ａ９のうち、縦方向および横方向の両者において中央に位置する第５領域Ａ５が、目的とする測定位置（測色器１００による測定を行いたい領域）に設定されているものとする。
【００５７】
この例において用いられる位置検出用画像は、図１３（ｂ）に示すように、基準画像と比較画像とを含んでいる。ただし、この例において、比較画像は、複数ではなく１つの画像を含んでいる。
【００５８】
これらのうち、基準画像については、上述した例と同じく、表示画面３１の全領域すなわち第１領域Ａ１〜第９領域Ａ９に対し、Ｗ（白）を表示するための階調信号値（Ｒ＝２５５、Ｇ＝２５５、Ｂ＝２５５）で構成される。したがって、基準画像は、表示画面３１の全領域について同じ色で構成される。
【００５９】
これに対し、比較画像については、表示画面３１において目的とする測定位置に対応する第５領域Ａ５に対し、Ｒを表示するための階調信号値（Ｒ＝２５５、Ｇ＝０、Ｂ＝０）が設定され、残りの第１領域Ａ１〜第４領域Ａ４および第６領域Ａ６〜第９領域Ａ９に対し、Ｇを表示するための階調信号値（Ｒ＝０、Ｇ＝２５５、Ｂ＝０）が設定される。したがって、比較画像は、表示画面３１の全領域について複数（この例では２つ）の異なる色（この例ではＲ、Ｇ）で構成される。
【００６０】
図１４は、図１３（ｂ）に示す位置検出用画像データに基づき、ステップ２０において表示装置３０の表示画面３１に表示される位置検出用画像を説明するための図である。ここで、図１４（ａ）は表示画面３１に表示される基準画像を、図１４（ｂ）は表示画面３１に表示される比較画像を、それぞれ示している。
【００６１】
この例において、表示装置３０は、コンピュータ装置２０から取得した位置検出用画像データに基づき、表示画面３１に、最初に図１４（ａ）に示す基準画像を表示させ、次に図１４（ｂ）に示す比較画像を表示させる。ただし、各画像を表示させる順番を入れ替えてもかまわない。
【００６２】
この例では、測色器１００が、第５領域Ａ５を測定している場合に、検出画像の色がＲであると特定され、第１領域Ａ１〜第４領域Ａ４あるいは第６領域Ａ６〜第９領域Ａ９を測定している場合に、検出画像の色がＧであると特定される。また、測色器１００が第５領域Ａ５と第１領域Ａ１〜第４領域Ａ４あるいは第６領域Ａ６〜第９領域Ａ９とを跨いで測定している場合に、検出画像の色がＲおよびＧであると特定される。
【００６３】
したがって、色としてＲが特定された場合、測色器１００は目的とする測定位置（この例では第５領域Ａ５の範囲内）を測定していることがわかり、色としてＧ、あるいは、ＲおよびＧを含むＹが特定された場合、測色器１００は目的とする測定位置を外れて測定していることがわかる。
【００６４】
以上説明したように、本実施の形態では、１つの無彩色画像からなる基準画像と、有彩色画像を含む２つ以上の画像からなる比較画像とを、表示装置３０を用いて表示画面３１に順次表示させ、表示画面３１に表示された基準画像と比較画像とを測色器１００で順次読み取った結果に基づいて、表示画面３１における測色器１００の測定位置を決定するようにした。ここで、本実施の形態では、比較画像を複数の有彩色画像で構成しており、１枚の比較画像を測色器１００で読み取った際に、測色器１００により読み取られる画像の色が、測色器１００の測定位置に応じて変わることになるため、表示画面３１における測定位置の決定に要する時間を、より短縮化することが可能になる。なお、比較画像を構成する、有彩色画像を含む２つ以上の画像のうち、いずれか１つが無彩色画像で構成されていてもよい。
【００６５】
また、比較画像として２枚以上（例えば第１比較画像および第２比較画像）を用いることにより、表示画面３１において測定位置の検出に用いられる領域の数を増やすことが可能となり、測色器１００による測定位置の検出を、より高い精度にて実現することができる。
【００６６】
特に、本実施の形態では、測定位置の決定で色の判別に使用する特性として輝度以外のもの（例えば色相）を用いていることから、表示装置３０の階調特性が不明であっても、測定位置の検出が可能であり、また、表示装置３０の階調特性によらず、測定位置の検出が可能である。
【００６７】
なお、上述した説明においては、測定位置の決定で色の判別に使用する特性として、色相単体や彩度と色相との組み合わせを用いる場合を例として説明を行ったが、これに限られるものではない。例えば、彩度、色相および明度のうちの２者または３者を組み合わせたものを、特性として使用することも可能である。さらに、基準値に対するＸＹＺの三刺激値の比などを、特性として使用してもかまわない。
【００６８】
また、上述した説明においては、２つの比較画像（第１比較画像および第２比較画像）を組み合わせることにより、表示画面３１を９つの領域（第１領域Ａ１〜第９領域Ａ９）に分割するようにしていたが、例えば色が異なる９つの有彩色画像にて１つの比較画像を構成できる場合には、この１枚の比較画像にて表示画面を９つの領域に分割することが可能となる。また、比較画像を、３つ以上の画像を用いて構成してもかまわない。
【００６９】
さらに、上述した説明においては、表示画面３１を９つの領域（第１領域Ａ１〜第９領域Ａ９）に分割する場合を例として説明を行ったが、表示画面３１の分割数については、２以上であればいくつであってもよく、それぞれの領域が同じ面積でなくてもかまわない。ここで、測定位置の検出精度を向上させるという観点からすれば、表示画面３１のサイズが大きくなるに従い、表示画面３１の分割数を増加させることが望ましい。
【００７０】
さらにまた、本実施の形態においては、基準画像として白色画像（Ｒ＝２５５、Ｇ＝２５５、Ｂ＝２５５）を用いていたが、これに限られるものではなく、白色以外の無彩色画像（例えばＲ＝１２７、Ｇ＝１２７、Ｂ＝１２７）等を用いてもよい。ただし、基準画像として黒色画像（Ｒ＝０、Ｇ＝０、Ｂ＝０）を用いない方がよい。
【符号の説明】
【００７１】
１０…画像表示システム、２０…コンピュータ装置、２１…ＣＰＵ、２２…メインメモリ、２３…ＨＤＤ、２４…通信インタフェース、３０…表示装置、３１…表示画面、４０…入力装置、１００…測色器、２１０…出力画像データ作成部、２２０…位置検出用画像設定部、２３０…測定位置決定部、２４０…測色用画像設定部、２５０…記憶部
【図１】
2014149350.tif 000003
【図２】
2014149350.tif 000004
【図３】
2014149350.tif 000005
【図４】
2014149350.tif 000006
【図５】
2014149350.tif 000007
【図６】
2014149350.tif 000008
【図７】
2014149350.tif 000009
【図８】
2014149350.tif 000010
【図９】
2014149350.tif 000011
【図１０】
2014149350.tif 000012
【図１１】
2014149350.tif 000013
【図１２】
2014149350.tif 000014
【図１３】
2014149350.tif 000015
【図１４】
2014149350.tif 000016
【手続補正書】
【提出日】平成25年8月1日(2013.8.1)
【手続補正１】
【補正対象書類名】特許請求の範囲
【補正対象項目名】全文
【補正方法】変更
【補正の内容】
【特許請求の範囲】
【請求項１】
異なる単色で構成された２つ以上の有彩色画像を並べて配置するとともに表示画面において予め決められた対象領域の全域に表示させるための第１比較画像と、異なる単色で構成された２つ以上の有彩色画像を当該第１比較画像とは異なる配列にて並べて配置するとともに当該対象領域の当該全域に表示させるための第２比較画像とを、順番に、当該表示画面に表示させるための位置検出用画像データを作成する作成手段と、
前記位置検出用画像データに基づいて前記表示画面に順番に表示された前記第１比較画像と前記第２比較画像とを、前記表示画面における前記対象領域内の一部の領域において測定する測定手段と、
前記測定手段による前記第１比較画像の測定結果から得られた当該第１比較画像の色と、当該測定手段による前記第２比較画像の測定結果から得られた当該第２比較画像の色との組み合わせに基づいて、前記表示画面における当該測定手段の測定位置を決定する決定手段と
を含む測定位置決定装置。
【請求項２】
前記作成手段は、前記位置検出用画像データとして、複数の単色を混色して得られる無彩色画像で構成されるとともに、前記第１比較画像および前記第２比較画像と順番に前記対象領域の前記全域に表示させるための基準画像をさらに作成し、
前記測定手段は、前記位置検出用画像データに基づいて前記表示画面に表示された前記基準画像を、当該表示画面における一部の領域においてさらに測定し、
前記決定手段は、前記測定手段による前記第１比較画像の測定結果を当該測定手段による前記基準画像の測定結果で正規化した結果に基づいて、当該第１比較画像の測定結果における当該第１比較画像の色を取得し、当該測定手段による前記第２比較画像の測定結果を当該測定手段による当該基準画像の測定結果で正規化した結果に基づいて、当該第２比較画像の測定結果における当該第２比較画像の色を取得すること
を特徴とする請求項１記載の測定位置決定装置。
【請求項３】
前記作成手段は、赤（Ｒ）、緑（Ｇ）および青（Ｂ）の各単色からなる３つの有彩色画像を含む前記第１比較画像と、赤（Ｒ）、緑（Ｇ）および青（Ｂ）の各単色からなる３つの有彩色画像を含む前記第２比較画像とを表示させるための前記位置検出用画像データを作成することを特徴とする請求項１または２記載の測定位置決定装置。
【請求項４】
異なる単色で構成された２つ以上の有彩色画像が並べて配置された第１比較画像を、表示画面において予め決められた対象領域の全域に表示させるステップと、
異なる単色で構成された２つ以上の有彩色画像が前記第１比較画像とは異なる配列にて並べて配置された第２比較画像を、前記第１比較画像とは異なるタイミングで前記対象領域の前記全域に表示させるステップと、
前記表示画面に順番に表示された前記第１比較画像と前記第２比較画像とを、前記表示画面における前記対象領域内の一部の領域において測定するステップと、
前記第１比較画像の測定結果から得られた当該第１比較画像の色と、前記第２比較画像の測定結果から得られた当該第２比較画像の色との組み合わせに基づいて、前記表示画面における当該測定手段の測定位置を決定するステップと
を含む測定位置決定方法。
【請求項５】
異なる単色で構成された２つ以上の有彩色画像を並べて配置するとともに表示画面において予め決められた対象領域の全域に表示させるための第１比較画像と、異なる単色で構成された２つ以上の有彩色画像を当該第１比較画像とは異なる配列にて並べて配置するとともに当該対象領域の当該全域に表示させるための第２比較画像とを、順番に、当該表示画面に表示させるための位置検出用画像データを作成する作成手段と、
前記位置検出用画像データに基づいて、前記第１比較画像と前記第２比較画像とを、順番に、前記表示画面における前記対象領域に表示させる表示手段と、
前記位置検出用画像データに基づいて前記表示画面に順番に表示された前記第１比較画像と前記第２比較画像とを、前記表示画面における前記対象領域内の一部の領域において測定する測定手段と、
前記測定手段による前記第１比較画像の測定結果から得られた当該第１比較画像の色と、当該測定手段による前記第２比較画像の測定結果から得られた当該第２比較画像の色との組み合わせに基づいて、前記表示画面における当該測定手段の測定位置を決定する決定手段と
を含む画像表示システム。
【請求項６】
前記作成手段は、前記位置検出用画像データとして、複数の単色を混色して得られる無彩色画像で構成されるとともに、前記第１比較画像および前記第２比較画像と順番に前記対象領域の前記全域に表示させるための基準画像をさらに作成し、
前記測定手段は、前記位置検出用画像データに基づいて前記表示画面に表示された前記基準画像を、当該表示画面における一部の領域においてさらに測定し、
前記決定手段は、前記測定手段による前記第１比較画像の測定結果を当該測定手段による前記基準画像の測定結果で正規化した結果に基づいて、当該第１比較画像の測定結果における当該第１比較画像の色を取得し、当該測定手段による前記第２比較画像の測定結果を当該測定手段による当該基準画像の測定結果で正規化した結果に基づいて、当該第２比較画像の測定結果における当該第２比較画像の色を取得すること
を特徴とする請求項５記載の画像表示システム。
【請求項７】
前記作成手段は、赤（Ｒ）、緑（Ｇ）および青（Ｂ）の各単色からなる３つの有彩色画像を含む前記第１比較画像と、赤（Ｒ）、緑（Ｇ）および青（Ｂ）の各単色からなる３つの有彩色画像を含む前記第２比較画像とを表示させるための前記位置検出用画像データを作成することを特徴とする請求項５または６記載の画像表示システム。
【請求項８】
コンピュータに、
異なる単色で構成された２つ以上の有彩色画像を並べて配置するとともに表示画面において予め決められた対象領域の全域に表示させるための第１比較画像と、異なる単色で構成された２つ以上の有彩色画像を当該第１比較画像とは異なる配列にて並べて配置するとともに当該対象領域の当該全域に表示させるための第２比較画像とを、順番に、当該表示画面に表示させるための位置検出用画像データを作成する機能と、
位置検出用画像データに基づいて前記表示画面に順番に表示された前記第１比較画像と前記第２比較画像とを、当該表示画面における前記対象領域内の一部の領域において測定した結果を用い、当該第１比較画像の測定結果から得られた当該第１比較画像の色と、当該第２比較画像の測定結果から得られた当該第２比較画像の色との組み合わせに基づいて、当該表示画面における測定位置を決定する機能と
を実現させるプログラム。
【手続補正３】
【補正対象書類名】明細書
【補正対象項目名】０００５
【補正方法】変更
【補正の内容】
【０００５】
請求項１記載の発明は、異なる単色で構成された２つ以上の有彩色画像を並べて配置するとともに表示画面において予め決められた対象領域の全域に表示させるための第１比較画像と、異なる単色で構成された２つ以上の有彩色画像を当該第１比較画像とは異なる配列にて並べて配置するとともに当該対象領域の当該全域に表示させるための第２比較画像とを、順番に、当該表示画面に表示させるための位置検出用画像データを作成する作成手段と、前記位置検出用画像データに基づいて前記表示画面に順番に表示された前記第１比較画像と前記第２比較画像とを、前記表示画面における前記対象領域内の一部の領域において測定する測定手段と、前記測定手段による前記第１比較画像の測定結果から得られた当該第１比較画像の色と、当該測定手段による前記第２比較画像の測定結果から得られた当該第２比較画像の色との組み合わせに基づいて、前記表示画面における当該測定手段の測定位置を決定する決定手段とを含む測定位置決定装置である。
【手続補正４】
【補正対象書類名】明細書
【補正対象項目名】０００６
【補正方法】変更
【補正の内容】
【０００６】
請求項２記載の発明は、前記作成手段は、前記位置検出用画像データとして、複数の単色を混色して得られる無彩色画像で構成されるとともに、前記第１比較画像および前記第２比較画像と順番に前記対象領域の前記全域に表示させるための基準画像をさらに作成し、前記測定手段は、前記位置検出用画像データに基づいて前記表示画面に表示された前記基準画像を、当該表示画面における一部の領域においてさらに測定し、前記決定手段は、前記測定手段による前記第１比較画像の測定結果を当該測定手段による前記基準画像の測定結果で正規化した結果に基づいて、当該第１比較画像の測定結果における当該第１比較画像の色を取得し、当該測定手段による前記第２比較画像の測定結果を当該測定手段による当該基準画像の測定結果で正規化した結果に基づいて、当該第２比較画像の測定結果における当該第２比較画像の色を取得することを特徴とする請求項１記載の測定位置決定装置である。
請求項３記載の発明は、前記作成手段は、赤（Ｒ）、緑（Ｇ）および青（Ｂ）の各単色からなる３つの有彩色画像を含む前記第１比較画像と、赤（Ｒ）、緑（Ｇ）および青（Ｂ）の各単色からなる３つの有彩色画像を含む前記第２比較画像とを表示させるための前記位置検出用画像データを作成することを特徴とする請求項１または２記載の測定位置決定装置である。
請求項４記載の発明は、異なる単色で構成された２つ以上の有彩色画像が並べて配置された第１比較画像を、表示画面において予め決められた対象領域の全域に表示させるステップと、異なる単色で構成された２つ以上の有彩色画像が前記第１比較画像とは異なる配列にて並べて配置された第２比較画像を、前記第１比較画像とは異なるタイミングで前記対象領域の前記全域に表示させるステップと、前記表示画面に順番に表示された前記第１比較画像と前記第２比較画像とを、前記表示画面における前記対象領域内の一部の領域において測定するステップと、前記第１比較画像の測定結果から得られた当該第１比較画像の色と、前記第２比較画像の測定結果から得られた当該第２比較画像の色との組み合わせに基づいて、前記表示画面における当該測定手段の測定位置を決定するステップとを含む測定位置決定方法である。
【手続補正５】
【補正対象書類名】明細書
【補正対象項目名】０００７
【補正方法】変更
【補正の内容】
【０００７】
請求項５記載の発明は、異なる単色で構成された２つ以上の有彩色画像を並べて配置するとともに表示画面において予め決められた対象領域の全域に表示させるための第１比較画像と、異なる単色で構成された２つ以上の有彩色画像を当該第１比較画像とは異なる配列にて並べて配置するとともに当該対象領域の当該全域に表示させるための第２比較画像とを、順番に、当該表示画面に表示させるための位置検出用画像データを作成する作成手段と、前記位置検出用画像データに基づいて、前記第１比較画像と前記第２比較画像とを、順番に、前記表示画面における前記対象領域に表示させる表示手段と、前記位置検出用画像データに基づいて前記表示画面に順番に表示された前記第１比較画像と前記第２比較画像とを、前記表示画面における前記対象領域内の一部の領域において測定する測定手段と、前記測定手段による前記第１比較画像の測定結果から得られた当該第１比較画像の色と、当該測定手段による前記第２比較画像の測定結果から得られた当該第２比較画像の色との組み合わせに基づいて、前記表示画面における当該測定手段の測定位置を決定する決定手段とを含む画像表示システムである。
請求項６記載の発明は、前記作成手段は、前記位置検出用画像データとして、複数の単色を混色して得られる無彩色画像で構成されるとともに、前記第１比較画像および前記第２比較画像と順番に前記対象領域の前記全域に表示させるための基準画像をさらに作成し、前記測定手段は、前記位置検出用画像データに基づいて前記表示画面に表示された前記基準画像を、当該表示画面における一部の領域においてさらに測定し、前記決定手段は、前記測定手段による前記第１比較画像の測定結果を当該測定手段による前記基準画像の測定結果で正規化した結果に基づいて、当該第１比較画像の測定結果における当該第１比較画像の色を取得し、当該測定手段による前記第２比較画像の測定結果を当該測定手段による当該基準画像の測定結果で正規化した結果に基づいて、当該第２比較画像の測定結果における当該第２比較画像の色を取得することを特徴とする請求項５記載の画像表示システムである。
請求項７記載の発明は、前記作成手段は、赤（Ｒ）、緑（Ｇ）および青（Ｂ）の各単色からなる３つの有彩色画像を含む前記第１比較画像と、赤（Ｒ）、緑（Ｇ）および青（Ｂ）の各単色からなる３つの有彩色画像を含む前記第２比較画像とを表示させるための前記位置検出用画像データを作成することを特徴とする請求項５または６記載の画像表示システムである。
【手続補正６】
【補正対象書類名】明細書
【補正対象項目名】０００８
【補正方法】変更
【補正の内容】
【０００８】
請求項８記載の発明は、コンピュータに、異なる単色で構成された２つ以上の有彩色画像を並べて配置するとともに表示画面において予め決められた対象領域の全域に表示させるための第１比較画像と、異なる単色で構成された２つ以上の有彩色画像を当該第１比較画像とは異なる配列にて並べて配置するとともに当該対象領域の当該全域に表示させるための第２比較画像とを、順番に、当該表示画面に表示させるための位置検出用画像データを作成する機能と、位置検出用画像データに基づいて前記表示画面に順番に表示された前記第１比較画像と前記第２比較画像とを、当該表示画面における前記対象領域内の一部の領域において測定した結果を用い、当該第１比較画像の測定結果から得られた当該第１比較画像の色と、当該第２比較画像の測定結果から得られた当該第２比較画像の色との組み合わせに基づいて、当該表示画面における測定位置を決定する機能とを実現させるプログラムである。
【手続補正７】
【補正対象書類名】明細書
【補正対象項目名】０００９
【補正方法】変更
【補正の内容】
【０００９】
請求項１記載の発明によれば、本構成を有していない場合と比較して、表示画面のデバイス特性がわからない状態であっても、決定される測定位置の誤差を低減することが可能になる。
請求項２記載の発明によれば、本構成を有していない場合と比較して、決定される測定位置の誤差をさらに低減することができる。
請求項３記載の発明によれば、本構成を有していない場合と比較して、対象領域内における測定位置を、より狭めた範囲に決定することができる。
第１比較画像および第２比較画像の色をより容易に特定することが可能となる。
請求項４記載の発明によれば、表示画面のデバイス特性がわからない状態であっても、決定される測定位置の誤差を低減することが可能になる。
請求項５記載の発明によれば、本構成を有していない場合と比較して、表示画面のデバイス特性がわからない状態であっても、決定される測定位置の誤差を低減することが可能になる。
請求項６記載の発明によれば、本構成を有していない場合と比較して、決定される測定位置の誤差をさらに低減することができる。
請求項７記載の発明によれば、本構成を有していない場合と比較して、対象領域内における測定位置を、より狭めた範囲に決定することができる。
請求項８記載の発明によれば、本構成を有していない場合と比較して、表示画面のデバイス特性がわからない状態であっても、決定される測定位置の誤差を低減することが可能になる。